(57)【要約】【課題】  角度を変えることなく幅広描線と細い描線を１本のペン芯で筆記することができる筆記具を提供する。【解決手段】  繊維芯からなるペン芯１０を有する筆記具であって、上記ペン芯１０は先端にアール部１２と面部１３ａからなる稜線部１３を有し、アール部１２と稜線部１３との交点は尖っていない形状となり、上記稜線部１３を形成する平面１３ａとアール部分１２の交点Ｘは、ペン芯直径を１とした際に、ペン芯の中心線に対する垂線方向で０．１≦Ｘ≦０．９の範囲になると共に、上記稜線部１３を形成する平面１３ａは中心線からの角度θ１が４０°＜θ１＜１３０°の範囲になり、かつ、稜線部１３を形成する平面１３ａの大きさは、ペン芯直径を１とした際に、長辺が０．４以上及び短辺が０．１以上であり、ペン芯先端のアール部１２は、ペン芯直径を１とした際に、０．２〜２の範囲になることを特徴とする筆記具。【選択図】図１
2006198891.tif 000002
【特許請求の範囲】
【請求項１】
ペン芯を有する筆記具であって、上記ペン芯は先端にアール部と面部からなる稜線部とを有し、アール部と稜線部との交点は尖っていない形状となり、上記稜線部を形成する平面とアール部との交点Ｘは、ペン芯直径を１とした際に、ペン芯の中心線に対する垂線方向で０．１≦Ｘ≦０．９の範囲になると共に、上記稜線部を形成する平面は中心線からの角度θ１が４０°＜θ１＜１３０°の範囲になり、かつ、稜線を形成する平面の大きさは、ペン芯直径を１とした際に、長辺が０．４以上及び短辺が０．１以上であり、ペン芯先端のアール部は、ペン芯直径を１とした際に、０．２〜２の範囲になることを特徴とする筆記具。
【請求項２】
稜線部を形成する角度θ１は６０°≦θ１≦８０°となる請求項１記載の筆記具。
【請求項３】
稜線部の長辺の長さは、０．６以上となる請求項１又は２に記載の筆記具。
【発明の詳細な説明】
【技術分野】
【０００１】
本発明は、ペン芯を有する筆記具に関し、更に詳しくは、角度を変えることなく幅広描線と細い描線を１本のペン芯で筆記することができる筆記具に関する。
【背景技術】
【０００２】
従来より、マーキングペン、サインペン等のように繊維芯からなるペン芯にインキを浸透させて筆記するようにした筆記具が知られている。
このタイプの筆記具にあっては、ペン芯の形状として多種の形状が数多く知られている。
【０００３】
例えば、１つのペン芯を遮蔽板を介して配設した複数の描線幅が得られるペン芯により構成したことを特徴とするマーカー（例えば、特許文献１参照）や、図５（ａ）及び（ｂ）に示すように、ペン軸１ａに挿着したペン芯１ｂ下端部を偏心円錐状に削成して、下端の偏芯より漸次上部に連れ側面短辺１ｃより中辺１ｄを経て長辺１ｅに及び斜面を形成すると共に、上記短辺１ｃ、中辺１ｄ、長辺１ｅと各反対側のペン軸１ｂ上に各辺に該当する標識１ｅを設けなるサインペン１が知られている（例えば、特許文献２参照）。
【０００４】
また、図６（ａ）及び（ｂ）に示すように、ペン主体２ａの略中軸線先端に錐状突出部２ｂを残して該突出部２ｂの周囲斜め後方に深浅広狭各種の谷状凹部２ｃ…を穿ってこれら凹部間２ｃ…にそれぞれ異なる角度で長短各種の線状ペン先２ｄを形成したサインペン２（例えば、特許文献３参照）、更に、図７（ａ）〜（ｃ）に示すように、液状のマーカー用媒体を吸収できるような関係位置に保持される、中心軸３ａをもつ細長い筒状のボディ３ｂと、該ボディ３ｂの一端又は両端に略円錐状のマーカー端３ｃとを有するマーカーチップ３ｄにおいて、該マーカー端３ｃを形成する円錐形の頂点３ｄが該ボディの中心軸線上にない偏芯位置３ｅにあって、該円錐形面が該筒状のボディ３ｂの表面と交叉する境界線上の各点と頂点との間の距離が異なる長さとなることを特徴とし、該マーカーチップ３ｄをマークすべき面に対して一定の角度に保持しながら回転させて、該面に接触させてから線を引くことによって、種々の幅を有する線をマークすることができる、偏芯尖端をもつペン芯３（例えば、特許文献４参照）が知られている。
【０００５】
しかしながら、これらの特許文献１〜４に記載されるペン芯等は、角芯部分が多くあり、様々な太さの描線幅を選択できるものであるが、山になっている先端や、点で筆記するために良好な幅広の筆記性が得られないことがあり、また、様々な太さの描線を得るためには筆記時に角度調節などが必要であり、筆記し難いところがあるなどの課題を有するものである。
【特許文献１】実開昭５７−１０３８８４号公報（特許請求の範囲、実施例等）
【特許文献２】実公昭５６−４８５３７号公報（特許請求の範囲、実施例等）
【特許文献３】実公平２−３５５０５号公報（特許請求の範囲、実施例等）
【特許文献４】特許第３２０９６８５号公報（特許請求の範囲、実施例等）
【発明の開示】
【発明が解決しようとする課題】
【０００６】
本発明は、上記従来技術の課題等に鑑み、これを解消しようとするものであり、筆記時に角度調節を行うことなく、幅広描線と細い描線を簡単に筆記することができる筆記具を提供することを目的とする。
【課題を解決するための手段】
【０００７】
本発明者らは、上記従来の課題等を解決するために、鋭意検討した結果、ペン芯を有する筆記具において、上記ペン芯を特定形状とすることにより、上記目的の筆記具が得られることを見い出し、本発明を完成するに至ったのである。
【０００８】
すなわち、本発明は、次の（１）〜（３）に存する。
（１）  ペン芯を有する筆記具であって、上記ペン芯は先端にアール部と面部からなる稜線部とを有し、アール部と稜線部との交点は尖っていない形状となり、上記稜線部を形成する平面とアール部との交点Ｘは、ペン芯直径を１とした際に、ペン芯の中心線に対する垂線方向で０．１≦Ｘ≦０．９の範囲になると共に、上記稜線部を形成する平面は中心線からの角度θ１が４０°＜θ１＜１３０°の範囲になり、かつ、稜線を形成する平面の大きさは、ペン芯直径を１とした際に、長辺が０．４以上及び短辺が０．１以上であり、ペン芯先端のアール部は、ペン芯直径を１とした際に、０．２〜２の範囲になることを特徴とする筆記具。
（２）  稜線部を形成する角度θ１は６０°≦θ１≦８０°となる上記（１）記載の筆記具。
（３）  稜線部の長辺の長さは、０．６以上となる上記（１）又は（２）に記載の筆記具。
【発明の効果】
【０００９】
本発明によれば、筆記時に角度調節を行うことなく、幅広描線と細い描線を簡単に筆記することができる筆記具が提供される。
【発明を実施するための最良の形態】
【００１０】
以下に、本発明の実施形態を図面を参照しながら詳しく説明する。
図１〜図４は、本発明の筆記具の実施形態の一例を示すものであり、図１及び図２は本発明の要部となるペン芯の一例を示す図面、図３は、本発明の要部となるペン芯の他の実施形態の一例を示す図面、図４は、図１のペン芯を搭載した筆記具の一例を示す図面である。
本実施形態のペン芯１０は、図１（ａ）〜（ｃ）に示すように、筆記具本体に固着される先軸内に取り付けられる取り付け溝１１ａ，１１ｂを有するペン芯本体部１１を有し、ペン芯本体部１１の先端にアール（Ｒ）部１２と面部１３ａからなる稜線部１３とを有し、アール部１２と稜線部１３の交点は筆記時に角度調節を行うことなく、幅広描線と細い描線を簡単に筆記するために尖っていない形状となっている（条件１）。
【００１１】
また、上記稜線部１３を形成する平面１３ａとアール部１２の交点Ｘ（始点）は、図２（ａ）に示すように、ペン芯直径を１とした際に、ペン芯の中心線に対する垂線方向で０．１≦Ｘ≦０．９の範囲（条件２）になると共に、上記稜線部分を形成する平面１３ａは、図２（ｂ）に示すように、中心線からの角度θ１が４０°＜θ１＜１３０°の範囲（条件３）に設定され、かつ、稜線部１３を形成する平面１３ａの大きさは、図１（ｃ）に示すように、ペン芯直径を１とした際に、長辺ａが０．４以上及び短辺ｂが０．１以上（条件４）に設定され、ペン芯先端のアール部１２は、ペン芯直径を１とした際に、図２（ｃ）に示すように、０．２〜２の範囲（条件５）に設定されている。
【００１２】
本発明では、上記（条件１）と共に、上記稜線部１３を形成する平面１３ａとアール部分１２の交点Ｘを、０．１≦Ｘ≦０．９の範囲（条件２）に設定し、上記稜線部１３を形成する平面１３ａの中心線からの角度θ１を４０°＜θ１＜１３０°の範囲（条件３）に設定し、稜線部１３を形成する平面１３ａの長辺ａを０．４以上及び短辺ｂを０．１以上（条件４）に設定し、ペン芯先端のアール部１２をペン芯直径を１とした際に、０．２〜２の範囲（条件）に設定とすること、上記条件１〜５を充足することにより、初めて本発明の効果である筆記時に角度調節を行うことなく、幅広描線と細い描線を１本のペン芯で簡単に筆記することができるものとなる。
従って、本発明では、上記条件１）〜条件５）の少なくとも１つを充足しない場合、すなわち、上記条件１の形状、または、交点Ｘが０．１≦Ｘ≦０．９の範囲外なる場合、または、上記角度θ１が４０°＜θ１＜１３０°の範囲外となる場合、あるいは、上記稜線部１３を形成する平面１３ａの長辺ａが０．４未満又は短辺ｂが０．１未満の場合、更に、ペン芯先端のアール部１２が０．２〜２の範囲外となる場合には、いずれも本発明の効果を達成できないものとなる（この点に関しては更に後述する実施例等で更に詳述する）。
【００１３】
本発明では、筆記時に角度調節を行うことなく、幅広描線と細い描線を更に簡単に筆記するために、好ましくは、稜線を形成する角度θ１を６０°≦θ１≦８０°とすること、また、稜線の長辺ａの長さを、０．６以上（１未満）とすることが好ましい。
更に好ましくは、上記交点Ｘを、０．２≦Ｘ≦０．５とすることが望ましく、短辺ｂを０．３以上（１未満）、並びに、アール部１２を０．２〜０．５の範囲とすることが望ましい。
なお、細い描線を更に簡単に筆記するため、筆記部となるペン芯先端のアール部１２は、ペン芯直径を１とした際に、０．２〜２の範囲であれば、先端アール部１２は一種類でなくてもよいものである。また、筆記に関与しない先端アール部１２以外のその他アール（Ｒ）部は、上記０．２〜２の範囲以外であってもよいものである。
【００１４】
図３（ａ）及び（ｂ）は、本発明の要部となるペン芯の他の実施形態の一例を示す部分正面図、平面図である。本実施形態のペン芯１０は、稜線部１３を形成する平面１３ａが円形状としたものである。
【００１５】
本発明の上記形状等からなるペン芯１０は、上記条件１〜５を充足できる形状であれば、ペン芯の材質、製法、気孔率等は、特に限定されるものではなく、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる平行繊維束、フェルト等の繊維束を加工又はこれらの繊維束を樹脂加工した繊維芯、上記各種のプラスチック粉末などを融結したポーラス体などからなる気孔率が５０〜８０％のペン芯となるものが挙げられる。
【００１６】
本発明の筆記具は、上記構成のペン芯１０に特徴を有するものであるので、該ペン芯１０を取り付ける筆記具本体の構造は特に限定されるものではなく、例えば、図４に示すインキの終了サインを視認することができるペン芯１０を有する筆記具Ａを挙げることができる。
本実施形態の筆記具Ａは、図４に示すように、先軸２０に取り付けられる上記構成のペン芯１０と、尾栓部２１を一体に有する後軸２２からなる軸筒（筆記具本体）２３と、軸筒２３内に収容されるインキ吸蔵体（図示せず）、該インキ吸蔵体に接続される中継芯（図示せず）、上記インキ吸蔵体及び中継芯を保持する保持部材（図示せず）と、インキ誘導管２４とを備えたものである。
【００１７】
このように構成される本実施形態の筆記具Ａでは、インキ吸蔵体に含浸されたインキは中継芯を介してインキ誘導管２４内をとおり、ペン芯１０に浸透して筆記が可能となるものであり、上記構成のペン芯１０により、筆記時に角度調節を行うことなく、稜線部１３で幅広描線と、アール部１２で細い描線を簡単に筆記することができるものとなる。
また、この筆記具Ａでは、インキ吸蔵体からのインキ終了サインを先軸２０に形成した視認部２０ａを介して視認性を有するインキ誘導管２４を視認することにより検知することができるものである。従って、ぺン芯１０でのインキのカスレがペン芯１０での乾燥によるものか、または、インキの消費による本来の終了によるのかを視覚により明確に、かつ簡単に判断することができるものである。
【００１８】
本発明の筆記具は、上記構成のペン芯１０に特徴を有するものであるので、該ペン芯１０を取り付ける筆記具本体の構造は上述の図４の筆記具Ａの他、例えば、１）インキを直接貯溜する軸体となるインキタンク部を有すると共に、一時的にインキを保溜するコレクター部材を有し、インキタンク部からペン芯１０へのインキの導出が中継芯を介して（又は直接）行われる直液筆記具や、２）インキを直接貯溜する軸体となるインキタンク部を有すると共に、インキタンク部からペン芯１０へのインキの導出がバルブ機構部を介して直接（又は中継芯を介して）行われるバルブ機構を有する筆記具や、３）軸体内にインキを吸蔵したインキ吸蔵体を有し、該インキ吸蔵体からペン芯１０へのインキ導出が直接（又は中継芯を介して）行われる中綿式の筆記具などであってもよいものである。
【実施例】
【００１９】
次に、実施例及び比較例により本発明を更に詳細に説明するが、本発明は下記実施例等に限定されるものではない。
【００２０】
〔実施例１〜６及び比較例１〜６〕
下記表１に示す各特性〔長さ、比率、先端アール部（Ｒ）、その他のアール部（Ｒ）、角度θ１〕となるペン芯（ＡｕＢＥＸ社製のポリエステル芯、気孔率６６％）を調製し、図４に準拠する筆記具本体（三菱鉛筆社製、ＰＷＢ−１２０軸）に取り付けて、下記方法により筆記性（角部、アール部での筆記）の評価を行った。
実施例１〜６のペン芯は、本発明範囲（上記条件１〜５）を充足するペン芯を用いたものであり、比較例１は、従来のチゼルカットペン芯（スタビロボス）、比較例２は従来の丸ペン芯（三菱鉛筆社製、ＰＭ１２２）、比較例３は、特許第３２０９６８５号（図７）開示のペン芯、比較例４〜６は、本発明範囲外の（上記条件１〜５の少なくとも１つを充足しない）ペン芯を用いた筆記具である。
これらの評価結果を下記表１に示す。なお、インキは、三菱鉛筆社製「プロッキー」黒インキを用いた。
【００２１】
〔筆記性の評価方法〕
極端にペンを立てたり、寝かしたりすることなく、試験用紙に実筆記〔ペン芯１０における角部（稜線部１３）、丸部（先端アール部１２）での通常の筆記〕で描線を求め、下記評価基準で筆記性を官能評価した。
評価基準：
◎：非常に筆記し易い。
○：無理なく筆記できる。実使用上問題のないレベル。
△：筆記はできるが求める描線を表現するのが困難。
×：通常の筆記方法などでは求める描線が表現できない。
【００２２】
【表１】
2006198891.tif 000003
【００２３】
上記表１の結果から明らかなように、本発明の範囲となる実施例１〜６のペン芯を用いた筆記具は、本発明の範囲外となる比較例１〜６のペン芯を用いた筆記具に較べ、筆記時に角度調節を行うことなく、稜線部となる平面部１３ａで幅広の描線が筆記でき、かつ、丸芯部分となる先端アール部１２があるため、角度を調節することなく中字描線を筆記でき、どれも角芯と丸芯の特徴を１本のペン芯で筆記できることが判明した。
比較例を個別的に見ると、比較例１では、チゼルカットペン芯による描線のみ、比較例２では丸ペン芯による描線のみしか筆記できず、比較例３では、太さの違う描線は筆記することができるが、丸芯部分がないため、筆記の際に角度を調節する必要があり、筆記し難いことが判った。
また、比較例４では、丸形状の先端アール部（Ｒ）が本発明の範囲外（Ｒが１５）となる場合であり、Ｒが大き過ぎるため丸芯として機能できず、比較例５では稜線部の角度θ１が本発明の範囲外（３０°）となるため、筆記時の角度調節がし難く、筆記し難いものとなり、比較例６では、稜線部の長辺ａが本発明の範囲外（０．３４）となるため、丸芯部分で筆記線幅と差がなく本発明の効果を発揮できないことが判った。
【図面の簡単な説明】
【００２４】
【図１】本発明の要部となるペン芯の一例を示し、（ａ）は、正面図、（ｂ）右側面図、（ｃ）は平面図である。
【図２】（ａ）〜（ｃ）は、本発明の要部となるペン芯の特徴を説明するための部分正面態様で示す説明図である。
【図３】（ａ）及び（ｂ）は、本発明の要部となるペン芯の他の実施形態の一例を示す部分正面図、平面図である。
【図４】図１のペン芯を有する筆記具の一例を示す正面図である。
【図５】（ａ）及び（ｂ）は、従来構造のペン芯を有する筆記具の使用状態の一例を示す各斜視図である。
【図６】（ａ）及び（ｂ）は、従来構造の他例となるペン芯を有する筆記具正面図、平面図である。
【図７】（ａ）〜（ｃ）は、従来構造の他例となるペン芯を有する筆記具の側面図、上面図、端面図である。
【符号の説明】
【００２５】
Ａ    筆記具
１０    ペン芯
１２    先端アール部
１３    稜線部
１３ａ  稜線面
ａ    短辺
ｂ    長辺
【図１】
2006198891.tif 000004
【図２】
2006198891.tif 000005
【図３】
2006198891.tif 000006
【図４】
2006198891.tif 000007
【図５】
2006198891.tif 000008
【図６】
2006198891.tif 000009
【図７】
2006198891.tif 000010